(57)【特許請求の範囲】
【請求項１】
被検眼の瞳孔の近傍にリングスリット像を形成するリングスリットと前記リングスリット像の近傍に有害反射光除去用の遮光領域を形成する遮光体とを有して前記被検眼の眼底を照明する眼底照明系と、前記眼底からの照明反射光を撮影光として取り出す眼底撮影系とからなり、一般撮影方式の他に蛍光撮影方式が可能でかつ各撮影方式で変倍撮影が可能でしかも前記変倍に応じて前記遮光体を変更する変更手段が設けられている眼底カメラにおいて、
前記遮光体は一般撮影方式の高倍撮影時に自動的に前記眼底照明系の光路に挿入される小径遮光体と一般撮影方式の低倍撮影時に自動的に前記眼底照明系の光路に挿入される小径遮光体とから構成され、該小径遮光体は前記低倍撮影時の小径遮光体の面積が前記高倍撮影時の小径遮光体の面積よりも大きく設計され、
前記蛍光撮影時に前記変倍による倍率と無関係に前記小径遮光体を手動により、各小径遮光体のいずれをも前記眼底照明系の光路に挿入しないか、あるいは各小径遮光体のいずれかを前記眼底照明系の光路に挿入するかを選択可能とする構成としたことを特徴とする眼底カメラ。
【請求項２】
前記変更手段は前記被検眼の瞳孔径に応じて選択可能であることを特徴とする請求項１に記載の眼底カメラ。
【発明の詳細な説明】
【０００１】
【発明の属する技術分野】
本発明は、一般撮影方式の他に蛍光撮影方式が可能でかつ各撮影方式で変倍が可能な眼底カメラの改良に関する。
【０００２】
【従来の技術】
従来から、一般撮影方式の他に蛍光撮影方式が可能でかつ各撮影方式で変倍が可能な眼底カメラには、特公昭６１−２２９６６号公報及び特公昭６２−５４４９８号公報に開示されているように、被検眼の瞳孔の近傍にリングスリット像を形成するリングスリットとリングスリット像の近傍に有害反射光除去用の遮光領域を形成する遮光体とを有して被検眼の眼底を照明する眼底照明系と、眼底からの照明反射光を撮影光として取り出す眼底撮影系とからなり、変倍に応じて遮光体を自動的に変更する自動変更手段が設けられているものが知られている。眼底撮影の１つとして蛍光眼底撮影法は、肘静脈から注入したフルオレッセン・ナトリウム等が眼底循環系に到達した時間を見計らって眼底を青色近傍波長の励起光で照明し、血中から蛍光を発生させ、被検眼からの反射光の内から蛍光のみを取り出すことにより実行される。その際、撮影光路中にはバリヤーフィルターが、そして撮影光路中にはエキサイターフィルターが装着されていて波長の分離を行うため、フィルターの透過特性に応じて光量は低下し、また眼底で発生する蛍光の発光率がかなり低いため、一般のカラー撮影に比較してより多くの照明光量が要求される。したがって、蛍光撮影を行う場合に、照明光量を増加させるために、有害光を除去する機能の無効化を行っている。この眼底カメラでは、蛍光撮影時には、遮光体をリングスリットに近づけたり、寸法を変更したりして、照明光を実質的に遮断しないようにして照明光量の増大を図っている。
【０００３】
【発明が解決しようとする課題】
しかしながら、蛍光撮影時に、遮光体をリングスリットに近づけたり、寸法を変更したりして照明光量を増加させると、有害光を除去する機能を無効化しているので、励起光が前房、ガラス体中のフルオレセインを励起して蛍光を発生させ、この蛍光が反射率の相対的に大きい白色病巣や水晶体及びガラス体の混濁などで散乱され、この散乱光が全体的に眼底からの蛍光に重なって、この偽蛍光によるフレアーが増加して、画像劣化を招く。
【０００４】
本発明は、上記の事情に鑑みて為されたもので、その目的とするところは、一般撮影時には光源の発光量を変更せずに照明光量を変更でき、蛍光撮影時には簡単な構成で偽蛍光によるフレアーの増加を抑え、画像劣化を防止することができるとともに、被検眼の瞳孔径の小さい場合も撮影可能にする眼底カメラを提供する。
【０００５】
【課題を解決するための手段】
本発明の請求項１に記載の眼底カメラは、被検眼の瞳孔の近傍にリングスリット像を形成するリングスリットと前記リングスリット像の近傍に有害反射光除去用の遮光領域を形成する遮光体とを有して前記被検眼の眼底を照明する眼底照明系と、前記眼底からの照明反射光を撮影光として取り出す眼底撮影系とからなり、一般撮影方式の他に蛍光撮影方式が可能でかつ各撮影方式で変倍撮影が可能でしかも前記変倍に応じて前記遮光体を変更する変更手段が設けられている眼底カメラにおいて、
前記遮光体は一般撮影方式の高倍撮影時に自動的に前記眼底照明系の光路に挿入される小径遮光体と一般撮影方式の低倍撮影時に自動的に前記眼底照明系の光路に挿入される小径遮光体とから構成され、該小径遮光体は前記低倍撮影時の小径遮光体の面積が前記高倍撮影時の小径遮光体の面積よりも大きく設計され、前記蛍光撮影時に前記変倍による倍率と無関係に前記小径遮光体を手動により、各小径遮光体のいずれをも前記眼底照明系の光路に挿入しないか、あるいは各小径遮光体のいずれかを前記眼底照明系の光路に挿入するかを選択可能とする構成としたことを特徴とする。
【０００６】
【発明の実施の形態】
【０００７】
【実施形態１】
図１は本発明を散瞳型の眼底カメラに適用した実施形態の説明図を示し、図１において、１は眼底照明系、２は眼底撮影系、３は被検眼である。眼底照明系１は凹面反射鏡４´、ハロゲンランプ４、リレーレンズ５、撮影光源としてのキセノンランプ６、コンデンサレンズ７、円板状の第１小径遮光体８、リングスリット９、円板状の第２小径遮光体１０、１０´、リレーレンズ１１、反射鏡１２、リレーレンズ１３、黒点板１４、リレーレンズ１５、孔空きミラー１６を有する。第１小径板８とコンデンサレンズ７との間の眼底照明系１の光路には、可視蛍光用のエキサイタフィルタ８´が挿入され得る。眼底撮影系２は、被検眼３に臨む対物レンズ１７と、眼底照明系１と共用の孔空きミラー１６と開口絞り１６´と合焦レンズ１８と結像レンズ１９とクイックリターンミラー２０とから大略構成されている。２１は眼底像観察用のファインダ光学系である。開口絞り１６´と合焦レンズ１８との間の眼底撮影系２の光路には、光路長補正光学素子１８ａが設けられ、蛍光撮影時には、光路長補正光学素子１８ａはエキサイタフィルタ８´の眼底照明系１の光路への挿入に連動して眼底撮影系２の光路から退避され、この光路長補正光学素子１８ａの代わりに可視蛍光撮影用のバリアフィルタ１８ｂが眼底撮影系２の光路に挿入される。結像レンズ１９とクイックリターンミラー２０との間の眼底撮影系２の光路には変倍レンズ１９ａが設けられ、低倍撮影時（広角撮影時）には眼底撮影系２の光路から退避されており、高倍撮影時（狭角撮影時）には眼底撮影系２の光路に挿入される。
【０００８】
ハロゲンランプ４又はキセノンランプ６を発光させると、眼底照明光がリングスリット９を通って反射ミラー１２で反射され、リレーレンズ１３、黒点板１４、リレーレンズ１５を介して孔空きミラー１６に導かれる。そして、眼底照明光はこの孔空きミラー１６により対物レンズ１７に向けて反射され、被検眼３の角膜２５、水晶体２６を通過して眼底２７に導かれ、眼底２７を照明する。眼底２７による反射光は、撮影光又は観察光として対物レンズ１７、孔空きミラー１６の孔部１６ａ、開口絞り１６´、合焦レンズ１８を通ってクイックリターンミラー２０に導かれる。クイックリターンミラー２０は眼底像観察の際には、眼底撮影系２の光路に挿入され、眼底照明光はクイックリターンミラー２０により反射されてフィールドレンズ２２に眼底像が一旦形成され、この眼底像を形成する光束は反射鏡２３を介して接眼レンズ２４に導かれ、術者はこの接眼レンズ２４を介して眼底像をする。眼底像撮影の際には、クイックリターンミラー２０は撮影光学系２の光路から退避され、眼底像を形成する反射光がフィルム４２に導かれ、眼底像がフィルム４２に形成される。
【０００９】
第１小径遮光体８は角膜２５と共役であり、リングスリット９は瞳孔２８と共役であり、第２小径遮光体１０、１０´は水晶体２６の後面２６ａと共役であり、黒点板１４は対物レンズ１７の表面と共役であり、これらは、それぞれ角膜表面、水晶体後面、対物レンズ表面の近傍に遮光領域を形成し、これらの各面からの有害反射光が眼底撮影系２に混入するのを防止する役割を果たす。第２小径遮光体１０の面積は第２小径遮光体１０´の面積よりも大きく設計され、第２小径遮光体１０は低倍撮影時（変倍レンズ１９ａが眼底撮影系２の光路から退避されている時）に眼底照明系１の光路に挿入され、第２小径遮光体１０´は高倍撮影時（変倍レンズ１９ａが眼底撮影系２の光路に挿入されている時）、第２小径遮光体１０の代わりに眼底照明系１の光路に挿入される。この眼底カメラでは、眼底照明系１の光路への第２遮光体１０、１０´の挿脱は、白黒撮影方式、カラー撮影方式等の一般撮影方式の時（蛍光撮影以外の撮影方式の時）には図示を略す自動変更手段により倍率の変動に連動して自動的に行われる。この撮影倍率の変更に応じて第２遮光体１０、１０´を交換する理由は、ハロゲンランプ６の光量を一定のままで、撮影画像にフレアーを生じさせることなく被検眼３の眼底２７へ達する光量を高倍撮影時に増加させることができるからであり、その詳細な理由、その構造は特公昭６１−４４４９９号公報に開示されているのでその詳細な説明は省略する。
【００１０】
蛍光撮影時には、エキサイタフィルター８´が眼底照明系１の光路に挿入される一方、バリアフィルター１８ｂが眼底撮影系２の光路に挿入される。ここで、その第２遮光体１０、１０´の挿脱は自動変更手段によらず手動であり、術者が第２遮光体１０、１０´のいずれをも眼底照明系１の光路に挿入しないか、あるいは、いずれかを眼底照明系１の光路に挿入するかを選択できる。すなわち、低倍撮影時に、被検眼３の瞳孔径が小さく、眼底（特にその眼底の中心部分）２７を照明できない、言い替えると、撮影できないと考えられるときには、偽蛍光等により画像劣化が存在するのを承知のうえで遮光面積の小さい第２遮光体１０´を利用して、エキサイタフィルター８´を通過した眼底照明光（励起光）を有効に利用することができる。この場合に、被検眼３が十分に散瞳している場合（瞳孔径が８ｍｍ以上の場合）には、遮光面積の大きい第２遮光体１０を眼底照明系１の光路に挿入し、偽蛍光によりフレアーの増加を抑え画像劣化を防止する。一方、被検眼３の瞳孔径が小さい場合（瞳孔径が６ｍｍ以下の場合）には、遮光面積の小さい第２遮光体１０´を眼底照明系１の光路に挿入することにすれば、図２（イ）、図２（ロ）にそれぞれ符号Ｑ１、Ｑ２で示すように、瞳孔径の相違によらず、低倍時、高倍時共に眼底２７における照明光の光量分布の一様化を図ることができる。その図２（イ）、図２（ロ）において、Ｑ１は、被検眼３の瞳孔径を８ｍｍとした時に第２遮光体１０を眼底照明系１の光路に挿入した場合の眼底への照明光量分布を示し、Ｑ２は被検眼３の瞳孔径を６ｍｍとした時に第２遮光体１０´を眼底照明系１の光路に挿入した場合の眼底への照明光量分布を示し、符号Ｑ３は被検眼３の瞳孔径を８ｍｍとした時に第２遮光体１０´を眼底照明系１の光路に挿入した場合の眼底への照明光量分布を示し、符号Ｑ４は被検眼３の瞳孔径を６ｍｍとした時に第２遮光体１０を眼底照明系１の光路に挿入した場合の眼底への照明光量分布を示し、この照明光量分布曲線は、横軸に照明角を採り、瞳孔径８ｍｍで第２遮光体１０´を眼底照明系１の光路に挿入した時の眼底照明系２の光軸Ｏ１上での照明光量を１００として作成した。
【００１１】
【実施形態２】
図３は本発明を無散瞳型の眼底カメラに適用した実施形態の説明図であって、この図３において、図１と同一の構成要素については同一符号を付して異なる部分についてのみ説明することにする。
【００１２】
この図３に示す無散瞳型の眼底カメラの光学系の場合には、眼底照明系１のキセノン管６とリレーレンズ５との間に赤外カットフィルター３０が設けられ、一般撮影方式の場合、眼底２７は赤外光により照明され、赤外カットフィルター３０は、可視蛍光撮影の際には眼底照明系１の光路から退避される。開口絞り１６´と光路長補正光学素子１８ａとの間にハーフミラー３１が設けられ、このハーフミラー３１はアライメント光学系３２の一部を構成している。アライメント光学系３２は可視から赤外までの波長域を有するアライメント光源３３、コンデンサレンズ３４、ライトガイド３５、斜設ミラー３６、２孔絞り３７、リレーレンズ３８から概略構成されている。なお、この眼底撮影系２には、図示を略す固視光学系が設けられ、被検者はこの固視光学系の固視標を注視して検査を受けるものである。
【００１３】
アライメント光源３３から出射されたアライメント光は、コンデンサレンズ３４により集光されて、ライトガイド３５の入射端３５ａから入射してこのライトガイド３５内を伝搬してその射出端３５ｂから出射される。この射出端３５ｂから出射されたアライメント光束は、斜設ミラー３６により反射されて２孔絞り３７の２つの孔部３７ａ（一方を省略する）に導かれる。この孔部３７ａを通過したアライメント光束はリレーレンズ３８を通過し、ハーフミラー３１により孔空きミラー１６に向けて反射され、ライトガイド３５の射出端３５ｂの像が孔部１６ａの中央位置Ｘに一旦形成される。その孔部１６ａの中央位置に結像されたアライメント像を形成する一対のアライメント光束は対物レンズ１７を介して角膜２５に投影され、被検眼３から装置本体までのワーキングディスタンスＷ及び上下左右方向の位置が適正であるときには、射出端３５ｂの像を形成する一対のアライメント光束によりその角膜の頂点Ｃｆと角膜曲率中心Ｃｒとの中間位置Ｃｃに１個のアライメント像が投影され、ワーキングディスタンスＷが適正でないときには、そのアライメント像が分離して投影される。角膜２５により反射されたアライメント反射光束はワーキングディスタンスＷが適正であるときには、眼底２７と共役位置に一旦結像され、撮影光学系２の所定の光路を通って反射鏡２３に導かれる。
【００１４】
反射鏡２３はここでは電子観察光学系４３の一部を構成しており、この電子観察光学系４３はＴＶリレーレンズ４４、撮像素子４５、処理回路４６、ＴＶモニター４７を有する。眼底像を形成する眼底反射光とアライメント反射光とは撮像面４５ａに結像され、処理回路４６により眼底像４８とアライメント像とがＴＶモニター４７に表示される。検者はそのＴＶモニター４７に表示されたアライメント像の分離・合致を視認しつつワーキングディスタンスＷの調整を行う。
【００１５】
この発明の実施の形態２の場合も実施の形態１と同様に、蛍光撮影の場合、低倍時、高倍時に眼底２７における照明光の光量分布の一様化を図ることができる。
【００１６】
なお、この発明においては、変倍に応じて遮光体を変更する変更手段には、一般撮影方式の時、変倍に応じた遮光体が眼底照明系１の光路に挿入されていない時には一般撮影を禁止する構成を含み、この種の撮影を禁止する構成の眼底カメラでも、蛍光撮影時には、変倍に応じた遮光体が眼底照明系１の光路に挿入されていなくても蛍光撮影が可能である。
【００１７】
【発明の効果】
本発明に係わる眼底カメラは以上説明したように構成したので、一般撮影時には光源の発光量を変更せずに照明光量を変更でき、蛍光撮影時には簡単な構成で偽蛍光によるフレアーの増加を抑え、画像劣化を防止するとともに、照明光の光量分布の一様化を図りつつ、被検眼の瞳孔径の小さい場合も撮影可能とすることができるという効果を奏する。
【図面の簡単な説明】
【図１】本発明を散瞳型の眼底カメラに適用した実施形態の説明図であって、その光学系の構成図である。
【図２】図１の第２遮光体を交換したときの眼底照明光量の光量分布を示し、（イ）は瞳孔径が８ｍｍの場合の光量分布特性を示し、（ロ）は瞳孔径が６ｍｍの場合の光量分布特性を示す。
【図３】本発明を無散瞳型の眼底カメラに適用した実施形態の説明図であって、その光学系の構成図である。
【符号の説明】
１…眼底照明
２…眼底撮影
３…被検眼
１０、１０´…第２遮光体（遮光体）
２７…眼底
２８…瞳孔
【図１】
0003597258.tif 000002
【図２】
0003597258.tif 000003
【図３】
0003597258.tif 000004